(57)【要約】      （修正有）【課題】３本のテープそれぞれに装着されているファスナーエレメントを１つに係合させるためのファスナースライダーを提供する。【解決手段】ファスナースライダー頭部正面にファスナーテープの通り口２、３を設ける。ファスナースライダーの内部は、頭部付近に２つの仕切り１を設け、仕切り１から尾部にかけては仕切りを設けずに通路の幅が狭くなっている部分４を設け、尾部背面にファスナーテープの通り口５を設ける。そして両側面に切れ込みを入れ、底面に切れ込みを入れる。【選択図】図２
2005224577.tif 000002
【特許請求の範囲】
【請求項１】
ファスナースライダー頭部正面にファスナーテープの通り口（２）、（３）を設け、ファスナースライダー内部の頭部付近に２つの仕切り（１）を設け、仕切り（１）から尾部にかけては仕切りを設けずにファスナースライダー内部通路の幅が狭くなる部分（４）を設け、尾部背面にファスナーテープの通り口（５）を設けて両側面に切れ込み（６）を入れ、底面に切れ込み（７）を入れる。
【発明の詳細な説明】
【発明の詳細な説明】
【技術分野】
【０００１】  この発明は、３本のテープそれぞれに装着されているファスナーエレメントを１つに係合させるためのファスナースライダーに関するものである。
【背景技術】
【０００２】  従来のファスナースライダーは、２本のテープそれぞれに装着されているファスナーエレメントを１つに係合させるためのものであった。
【発明が解決しようとする課題】
【０００３】そのために次のような問題点があった。
イ．２本のテープそれぞれに装着されているファスナーエレメントが１つに係合するだけであった。
ロ．２本のテープそれぞれに装着されているファスナーエレメント同士の係合では
【図１１】
に示すように１つの空間（１５）ができるだけであり、
【図１０】
に示すような２つの空間（１４）ができなかった。
本発明は、以上の問題点を解決するためになされたものである。
【課題を解決するための手段】
【０００４】  ファスナースライダー頭部正面にファスナーテープの通り口（２）、（３）を設ける。ファスナースライダーの内部は、頭部付近に２つの仕切り（１）を設け、仕切り（１）から尾部にかけては仕切りを設けずに通路の幅が狭くなる部分（４）を設け、尾部背面にファスナーテープの通り口（５）を設ける。そして両側面に切れ込み（６）を入れ、底面に切れ込み（７）を入れる。
本発明は、以上の構成よりなるファスナースライダーである。
【発明を実施するための最良の形態】
【０００５】以下、本発明の実施の形態について説明する。
（イ）ファスナースライダー頭部正面にファスナーテープの通り口（２）、（３）を設け、尾部背面にファスナーテープの通り口（５）を設ける。
（ロ）ファスナースライダー内部は、頭部付近に２つの仕切り（１）を設け、仕切り（１）から尾部にかけては仕切りを設けない。
（ハ）仕切り（１）から尾部にかけてファスナースライダー内部の通路の幅が狭くなる部分（４）を設ける。
（二）ファスナースライダー頭部正面のファスナーテープの通り口（２）を通るテープ（８）とファスナースライダーの外部にあるテープ（１１）を一体にするための、ファスナースライダーの両側面の切れ込み（６）を入れる。
（ホ）ファスナースライダー頭部正面にあるファスナースライダーの通り口（３）を通るテープ（９）とファスナースライダーの外部にあるテープ（１２）とを一体にする、ファスナースライダー底面の頭部から尾部にかけての切れ込み（７）を入れる。
本発明は以上のような構造で、これを使用するときは、ファスナースライダーの取っ手（１３）をテープ（８）、（９）にそって引き上げることで、ファスナースライダー頭部正面のファスナーテープの通り口（３）を通るテープ（９）に装着されたファスナーエレメント（１７）とファスナースライダー頭部正面のファスナーテープの通り口（２）を通るテープ（８）に装着されたファスナーエレメント（１６）とが、ファスナースライダー内部の仕切り（１）が無くファスナースライダー内部の通路の幅が狭くなる部分（４）によって係合され、尾部背面のファスナーテープの通り口（５）から係合されたテープ（８）、（９）が通り抜けることになる。
なお、本発明の底面に切れ込み（７）がなくてもよい。
また、［図２］のファスナースライダーで使用されているテープ（８）、（９）やファスナーエレメント（１６）、（１７）と形状が異なっているテープやファスナーエレメントの場合でも本発明は使用可能である。
また、
【図７】
に示すように、側面にある切れ込み（６）が底面にある切れ込み（１０）になってもよい。
【発明の効果】
【０００６】  これまでは、［図１１］に示されるように、１つの空間（１５）にしか物などを入れられなかったが、本発明を使用することによって、［図１０］に示されるように、２つの空間（１４）に物を分けて入れることが出来るようになる。
【図面の簡単な説明】
【図１】本発明の平面図
【図２】本発明の使用状態を示す平面の断面図（頭部正面のファスナーテープの通り口（２）を通るファスナーテープは、側面の切れ込み（６）によって外部のファスナーテープ（１１）と一体となっている。）
【図３】本発明の頭部正面図
【図４】本発明の尾部背面図
【図５】本発明の側面図
【図６】本発明の底面図
【図７】本発明の第２の実施例の頭部正面図
【図８】本発明の第２の実施例の尾部背面図
【図９】本発明の第２の実施例の底面図
【図１０】本発明を尾部背面から見た、使用状態を示す図
【図１１】従来品を尾部背面から見た、使用状態を示す図
【符号の説明】
１  ファスナースライダー内部の頭部付近の２つの仕切り
２  頭部正面にあるテープ（８）の通り口
３  頭部正面にあるテープ（９）の通り口
４  頭部付近の２つの仕切り（１）から尾部にかけて内部の通路の幅が狭くなる部分
５  尾部背面にあるテープ（８）、（９）の通り口
６  側面の切れ込み
７  底面の切れ込み
８  頭部正面にあるファスナーテープの通り口（２）を通るテープ
９  頭部正面にあるファスナーテープの通り口（３）を通るテープ
１０  側面の切れ込み（６）が底面にある場合の切れ込み
１１  テープ（８）と一体となるファスナースライダーの外部にあるテープ
１２  テープ（９）と一体となるファスナースライダーの外部にあるテープ
１３  取っ手
１４  本発明を使用することによって出来る２つの空間
１５  従来品を使用することによって出来る１つの空間
１６  テープ（８）に装着されたファスナーエレメント
１７  テープ（９）に装着されたファスナーエレメント
１８  従来品のファスナーエレメント
１９  従来品の尾部背面にあるファスナーテープの通り口
２０  袋の断面
【図１】
2005224577.tif 000003
【図２】
2005224577.tif 000004
【図３】
2005224577.tif 000005
【図４】
2005224577.tif 000006
【図５】
2005224577.tif 000007
【図６】
2005224577.tif 000008
【図７】
2005224577.tif 000009
【図８】
2005224577.tif 000010
【図９】
2005224577.tif 000011
【図１０】
2005224577.tif 000012
【図１１】
2005224577.tif 000013